(57)【要約】      （修正有）【課題】容易に操作可能な衝撃雷管点火装置を提供する。【解決手段】弾薬のカートリッジＣの衝撃雷管Ｄを設けられた尾部を先端部に装着可能な装置本体１と、装置本体１に一端部を搖動可能に支持されたハンドル２と、装置本体１に沿って進退移動自在に設けられるとともに先端部に撃針３ａを有する撃鉄３と、装置本体１に沿って進退自在に設けられてハンドル２の搖動に連動して進退移動するスライドブロック４と、スライドブロック４の移動により圧縮されて撃鉄３を衝撃雷管Ｄへ向けて前進附勢する撃鉄附勢スプリング５と、スライドブロック４の移動により撃鉄３をスライドブロック４または装置本体１にロックして撃鉄附勢スプリング５を圧縮可能にするとともに、スライドブロック４の逆方向への移動でそのロックを解除するボールロック機構６と、を具えることを特徴とする衝撃雷管点火装置である。【選択図】図２
2014185804.tif 000002
【特許請求の範囲】
【請求項１】
弾薬のカートリッジの衝撃雷管を設けられた尾部を先端部に装着可能な装置本体と、
前記装置本体に一端部を搖動可能に支持されたハンドルと、
前記装置本体に沿って進退移動自在に設けられるとともに先端部に撃針を有する撃鉄と、
前記装置本体に沿って進退自在に設けられて前記ハンドルの搖動に連動して進退移動するスライドブロックと、
前記スライドブロックの移動により圧縮されて前記撃鉄を衝撃雷管へ向けて前進附勢する撃鉄附勢スプリングと、
前記スライドブロックの移動により前記撃鉄を前記スライドブロックまたは前記装置本体にロックして前記撃鉄附勢スプリングを圧縮可能にするとともに、前記スライドブロックの逆方向への移動でそのロックを解除するボールロック機構と、
を具えることを特徴とする衝撃雷管点火装置。
【請求項２】
前記撃鉄附勢スプリングは、その前端部で前記撃鉄と掛合するとともにその後端部で前記スライドブロックと掛合し、
前記ボールロック機構は、前記撃鉄附勢スプリングの前方で前記装置本体に設けられ、
前記スライドブロックは、前記ハンドルの引き上げにより前記撃鉄と一緒に後退移動しつつ、前記ボールロック機構のボール拘束筒をボール拘束位置に移動させてボールを前記撃鉄の外周溝内に拘束することにより撃鉄を後退位置にロックさせ、また前記ハンドルの押し戻しにより前進移動しつつ、先ず後退位置にロックされた撃鉄との間で前記撃鉄附勢スプリングを圧縮し、次いで前記ボール拘束筒をボール解放位置に移動させてボールを撃鉄の外周溝外へ逃がし、撃鉄の前進移動を可能にすることを特徴とする、請求項１記載の衝撃雷管点火装置。
【請求項３】
前記撃鉄附勢スプリングは、その前端部で前記撃鉄と掛合するとともにその後端部で前記装置本体と掛合し、
前記ボールロック機構は、前記撃鉄附勢スプリングの後方で前記スライドブロックに設けられ、
前記スライドブロックは、前記ハンドルの引き上げにより前進移動しつつ、前記ボールロック機構のボール拘束筒をボール拘束位置に移動させてボールを前記撃鉄の外周溝内に拘束することにより撃鉄をスライドブロックにロックさせ、また前記ハンドルの押し戻しにより前記撃鉄と一緒に後退移動しつつ、先ず撃鉄と装置本体との間で前記撃鉄附勢スプリングを圧縮し、次いで前記ボール拘束筒をボール解放位置に移動させてボールを撃鉄の外周溝外へ逃がし、撃鉄の前進移動を可能にすることを特徴とする、請求項１記載の衝撃雷管点火装置。
【請求項４】
前記スライドブロックは前記ハンドルにリンク部材を介して連結されて、前記ハンドルの搖動に連動して進退移動することを特徴とする、請求項１から３までの何れか１項記載の衝撃雷管点火装置。
【請求項５】
前記撃鉄附勢スプリングと逆向きに段発力を生ずるように配置され、前記ハンドルを完全に戻した状態で前記撃鉄の先端部の撃針を前記衝撃雷管から離間させておく暴発防止スプリングを具えることを特徴とする、請求項１から４までの何れか１項記載の衝撃雷管点火装置。
【発明の詳細な説明】
【技術分野】
【０００１】
この発明は、信号弾等の弾薬が有する衝撃雷管に打撃を加えて点火し、弾体を発射させる衝撃雷管点火装置に関するものである。
【背景技術】
【０００２】
衝撃雷管点火装置は、信号弾等の弾薬のカートリッジ（薬きょう）を装着され、そのカートリッジの尾部に設けられた衝撃雷管に撃鉄で打撃を加えて点火し、カートリッジ内の射出薬を燃焼させて弾体（弾丸）を発射させる機能を果たす。このため従来の衝撃雷管点火装置としては例えば、先端部にカートリッジの尾部をねじ込み装着可能な、後端部が閉じた筒状の装置本体と、装置本体内部にその長手方向に進退移動自在に収容されるとともに先端部に撃針を持つ棒状の撃鉄と、その撃鉄を雷管に向けて附勢する撃鉄附勢スプリングと、撃鉄に一体的に設けられた発射レバーとを具え、その発射レバーが、装置本体に形成されてその長手方向に延在するガイド部とそのガイド部の後端部から鋭角に曲がった掛け止め部とを持つレ字状のガイド穴から外部に突出しているものが知られている。
【０００３】
この衝撃雷管点火装置は、発射レバーに指を掛けて発射レバーをガイド穴のガイド部に沿って本体の後端部方向へ引くことで撃鉄を引いて撃鉄附勢スプリングを圧縮し、その状態で発射レバーをガイド穴の後端部の掛け止め部に移して撃鉄を装置本体に掛け止めすることで点火準備をし、次いでその発射レバーを掛け止め部からガイド部に指で押し出すことで装置本体に対する撃鉄の掛け止めを外して、撃鉄附勢スプリングの弾発力により撃鉄を装置本体内で勢いよく前進移動させ、撃鉄先端部の撃針で衝撃雷管に打撃を加えて点火する。
【発明の概要】
【発明が解決しようとする課題】
【０００４】
しかしながら上記従来の衝撃雷管点火装置は、点火準備のために発射レバーを指で引いて撃鉄附勢スプリングを圧縮し、その状態でガイド穴の掛け止め部に掛け止めする際、および圧縮された撃鉄附勢スプリングの弾発力が加わった発射レバーを掛け止め部から指でガイド部に戻す際に強力な指の力が必要とされ、衝撃雷管の点火のための操作が困難であるという不都合があった。
【課題を解決するための手段】
【０００５】
この発明は、上記従来の課題を有利に解決した操作性の良い衝撃雷管点火装置を提供することを目的とするものであり、この発明の衝撃雷管点火装置は、
弾薬のカートリッジの衝撃雷管を設けられた尾部を先端部に装着可能な装置本体と、
前記装置本体に一端部を搖動可能に支持されたハンドルと、
前記装置本体に沿って進退移動自在に設けられるとともに先端部に撃針を有する撃鉄と、
前記装置本体に沿って進退自在に設けられて前記ハンドルの搖動に連動して進退移動するスライドブロックと、
前記スライドブロックの移動により圧縮されて前記撃鉄を衝撃雷管へ向けて前進附勢する撃鉄附勢スプリングと、
前記スライドブロックの移動により前記撃鉄を前記スライドブロックまたは前記装置本体にロックして前記撃鉄附勢スプリングを圧縮可能にするとともに、前記スライドブロックの逆方向への移動でそのロックを解除するボールロック機構と、
を具えることを特徴とするものである。
【発明の効果】
【０００６】
かかる衝撃雷管点火装置にあっては、信号弾等の弾薬のカートリッジの、衝撃雷管を設けられた尾部を装置本体の先端部に装着し、ハンドルを装置本体に対し揺動させて引き上げると、そのハンドルの引き上げに連動してスライドブロックが移動してボールロック機構により撃鉄をそのスライドブロックまたは装置本体にロックし、次いでハンドルを装置本体に対し揺動させて押し戻すと、そのハンドルの押し戻しに連動してスライドブロックがハンドルの引き上げ時と反対の方向へ移動して撃鉄附勢スプリングを圧縮し、ハンドルの押し戻しの最終段階で、スライドブロックがボールロック機構に撃鉄のロックを解除させ、これにより撃鉄附勢スプリングの段発力で撃鉄が勢いよく前進移動し、その先端部の撃針で衝撃雷管に打撃を加えて点火する。
【０００７】
従って、この発明の衝撃雷管点火装置によれば、装置本体に対してハンドルを引き上げた後に押し戻すだけで衝撃雷管に点火できるので、指の力が弱くても容易に操作することができる。
【０００８】
なお、この発明の衝撃雷管点火装置においては、
前記撃鉄附勢スプリングは、その前端部で前記撃鉄と掛合するとともにその後端部で前記スライドブロックと掛合し、
前記ボールロック機構は、前記撃鉄附勢スプリングの前方で前記装置本体に設けられ、
前記スライドブロックは、前記ハンドルの引き上げにより前記撃鉄と一緒に後退移動しつつ、前記ボールロック機構のボール拘束筒をボール拘束位置に移動させてボールを前記撃鉄の外周溝内に拘束することにより撃鉄を後退位置にロックさせ、また前記ハンドルの押し戻しにより前進移動しつつ、先ず後退位置にロックされた撃鉄との間で前記撃鉄附勢スプリングを圧縮し、次いで前記ボール拘束筒をボール解放位置に移動させてボールを撃鉄の外周溝外へ逃がし、撃鉄の前進移動を可能にするものであると、ハンドルの揺動操作で撃鉄のロックと撃鉄附勢スプリングの圧縮と撃鉄のロック解除とを行い得るので好ましい。
【０００９】
また、この発明の衝撃雷管点火装置においては、
前記撃鉄附勢スプリングは、その前端部で前記撃鉄と掛合するとともにその後端部で前記装置本体と掛合し、
前記ボールロック機構は、前記撃鉄附勢スプリングの後方で前記スライドブロックに設けられ、
前記スライドブロックは、前記ハンドルの引き上げにより前進移動しつつ、前記ボールロック機構のボール拘束筒をボール拘束位置に移動させてボールを前記撃鉄の外周溝内に拘束することにより撃鉄をスライドブロックにロックさせ、また前記ハンドルの押し戻しにより前記撃鉄と一緒に後退移動しつつ、先ず撃鉄と装置本体との間で前記撃鉄附勢スプリングを圧縮し、次いで前記ボール拘束筒をボール解放位置に移動させてボールを撃鉄の外周溝外へ逃がし、撃鉄の前進移動を可能にするものであると、これもハンドルの揺動操作で撃鉄のロックと撃鉄附勢スプリングの圧縮と撃鉄のロック解除とを行い得るので好ましい。
【００１０】
さらに、この発明の衝撃雷管点火装置においては、
前記スライドブロックは前記ハンドルにリンク部材を介して連結されて、前記ハンドルの搖動に連動して進退移動するものであると、簡易な構成でハンドルの揺動とスライドブロックの進退移動とを連動させ得るので好ましい。
【００１１】
さらに、この発明の衝撃雷管点火装置においては、
前記撃鉄附勢スプリングと逆向きに段発力を生ずるように配置され、前記ハンドルを完全に戻した状態で前記撃鉄の先端部の撃針を前記衝撃雷管から離間させておく暴発防止スプリングを具えるものであると、意図しないタイミングでの信号弾等の弾薬の暴発を防止できるので好ましい。
【図面の簡単な説明】
【００１２】
【図１】この発明の衝撃雷管点火装置の一実施例の構成を、ハンドルを押し戻した状態で示す断面図である。
【図２】上記実施例の衝撃雷管点火装置の構成を、ハンドルを引き上げた状態で示す断面図である。
【図３】この発明の衝撃雷管点火装置の他の一実施例の構成を、ハンドルを押し戻した状態で示す断面図である。
【図４】上記実施例の衝撃雷管点火装置の構成を、ハンドルを引き上げた状態で示す断面図である。
【発明を実施するための形態】
【００１３】
以下、本発明の実施の形態を実施例によって、図面に基づき詳細に説明する。ここに図１は、この発明の衝撃雷管点火装置の一実施例の構成を、ハンドルを押し戻した状態で示す断面図、図２は、上記実施例の衝撃雷管点火装置の構成を、ハンドルを引き上げた状態で示す断面図であり、図中符号１は装置本体、２はハンドル、３は撃鉄、４はスライドブロック、５は撃鉄附勢スプリング、６はボールロック機構をそれぞれ示す。
【００１４】
この実施例の衝撃雷管点火装置は、弾薬としての信号弾の尾部に設けられた衝撃雷管に点火し、信号弾のカートリッジ内の射出薬を燃焼させて弾体（弾丸）を発射させるためのものであり、ここにおける装置本体１は、先端部（図では左端部）に信号弾ホルダー１ａを有するとともに後端部（図では右端側）にハンドル支持ブロック１ｂを有し、それらを厚板状のベース部材１ｃを介して一体的に結合して構成されている。信号弾ホルダー１ａはその前端側（図では左端側）に、信号弾のカートリッジＣの衝撃雷管Ｄを設けられた尾部をねじ込み装着可能なねじ孔１ｄを形成されるとともに、その後端側に、ねじ孔１ｄの孔底から当該信号弾ホルダー１ａの後端部まで貫通する貫通孔６ａを持つボールロック機構６を一体に設けられている。
【００１５】
ハンドル支持ブラケット１ｂは、ハンドル２の基端部（図では右端部）を、図では紙面と直交する方向へ延在する軸線周りに揺動自在に軸支するとともに、その前端部（図では左端部）から後端部（図では右端部）まで貫通する貫通孔１ｅを形成されており、ハンドル２は、その先端部と基端部との間の中間部に装置本体１に向けて軸受け２ａを突設されている。
【００１６】
スライドブロック４は、後端部（図では右端部）に底部を持つ角筒状をなしていて、信号弾ホルダー１ａとハンドル支持ブロック１ｂとの間でベース部材１ｃ上に摺動自在に配置され、その底部には貫通孔４ａが形成されている。そして撃鉄３は、それら信号弾ホルダー１ａの貫通孔６ａと、スライドブロック４の貫通孔４ａと、ハンドル支持ブロック１ｂの貫通孔１ｅとに挿通されて装置本体１にその長手方向に進退移動自在に支持されており、この撃鉄３には、その先端部に撃針３ａが設けられるとともにその中間部の２箇所にスライドブロック４の底部を挟んでフランジ３ｂ，３ｃが設けられ、さらに撃針３ａと前側のフランジ３ｂとの間に周方向溝３ｅが設けられている。
【００１７】
スライドブロック４はまた、リンク部材７の一端部を揺動自在に軸支し、そのリンク部材７の他端部は、ハンドル２の軸受け２ａに揺動自在に軸支されており、これによりスライドブロック４は、ハンドル２の引き上げと連動して後退移動し、ハンドル２の押し戻しと連動して前進移動する。そして撃鉄附勢スプリング５は、その中心孔内に撃鉄３を挿通され、その前端部を撃鉄３のフランジ３ｂに掛合されるとともにその後端部をスライドブロック４の底部に掛合されて、概ねスライドブロック４内に収容されている。
【００１８】
ボールロック機構６は、油圧ホース金具を油圧装置に対して容易に着脱するため等に用いられる既知のもので、信号弾ホルダー１ａの後端部に一体に設けられたボール支持筒６ｂと、そのボール支持筒６ｂに周方向に間隔を空けて複数明けられたボール収容孔内にボール支持筒６ｂの半径方向へ移動自在に収容されたボール６ｃと、ボール支持筒６ｂの周囲に進退移動可能に嵌挿されたボール拘束筒６ｄと、そのボール拘束筒６ｄを後退方向へ附勢するスプリング６ｅと、そのボール拘束筒６ｄの後退限位置を特定する図示しないストッパとを有しており、ボール拘束筒６ｄの内周面は、ボール拘束筒６ｄの前端部寄りに位置して小径の内径でボール６ｃと当接し、ボール６ｃを実質的にボール支持筒６ｂから半径方向内方に突出するロック位置に拘束するロック部と、そのロック部に裁頭円錐面で滑らかに繋がるとともにそのロック部よりも大径の内径でボール６ｃと当接し、ボール６ｃのボール支持筒６ｂから半径方向外方への逃げ出しを許容する解放部とを持ち、これによりボール拘束筒６ｄは、自由状態ではスプリング６ｅで後退附勢されて、そのロック部がボール６ｃと対向するロック位置に位置し、後述の如くスライドブロック４で前進附勢されると、その解放部がボール６ｃと対向する解放位置に位置する。
【００１９】
さらにここでは、スライドブロック４の底部外面と撃鉄３の後側のフランジ３ｃとの間に、撃鉄附勢スプリング５と逆向きに段発力を生ずるように配置され、ハンドル２を完全に戻した状態で撃鉄３の先端部の撃針３ａを衝撃雷管Ｄから離間させておく暴発防止スプリング８が設けられ、また、スライドブロック４とハンドル支持ブラケット１ｂとの間に掛け渡されてスライドブロック４を後退方向へ引き寄せ、ハンドル２を容易に開かせるハンドル開きスプリング９が設けられている。
【００２０】
かかる構成を具えるこの実施例の衝撃雷管点火装置にあっては、図２に示すように、信号弾のカートリッジＣの、衝撃雷管Ｄを設けられた尾部を装置本体１の先端部の信号弾ホルダー１ａのねじ孔１ｄにねじ込み装着し、ハンドル２を装置本体１に対し揺動させて引き上げると、そのハンドル２の引き上げに連動してスライドブロック４が撃鉄３とともに後退移動し、これによりスライドブロック４がボールロック機構６のボール拘束筒６ｄから離間してボール拘束筒６ｄがロック位置へ移動可能となり、撃鉄３が所定の後退限位置まで後退して撃鉄３の周方向溝３ｄにボール６ｃが対向すると、ボール拘束筒６ｄがスプリング６ｅで附勢されて裁頭円錐面でボール６ｃを半径方向内方へ押し込みながらロック位置へ後退移動して、ボール６ｃを撃鉄３の周方向溝３ｄ内に嵌合する位置に拘束し、撃鉄３がその後退限位置で装置本体１に対しロックされる。
【００２１】
次いでハンドル２を装置本体１に対し上記と逆向きに揺動させて押し戻すと、そのハンドル２の押し戻しに連動してスライドブロック４が前進移動してその底部と装置本体１に対しロックされた撃鉄３のフランジ３ｂとの間で撃鉄附勢スプリング５を圧縮し、このハンドル２の押し戻しの最終段階で、スライドブロック４がボールロック機構６のボール拘束筒６ｄと当接してボール拘束筒６ｄを解放位置へ前進移動させて撃鉄３のロックを解除させ、これにより撃鉄附勢スプリング５の段発力で撃鉄３が勢いよく前進移動し、その先端部の撃針３ａで衝撃雷管Ｄに打撃を加えて点火する。
【００２２】
従って、この実施例の衝撃雷管点火装置によれば、装置本体１に対してハンドル２を引き上げた後に押し戻すだけで、撃鉄３のロックと撃鉄附勢スプリング５の圧縮と撃鉄３のロック解除とを行って衝撃雷管Ｄに点火できるので、指の力が弱くても容易に操作することができる。
【００２３】
しかもこの実施例の衝撃雷管点火装置によれば、スライドブロック４はハンドル２にリンク部材７を介して連結されて、ハンドル２の搖動に連動して進退移動するものであることから、簡易な構成でハンドル２の揺動とスライドブロック４の進退移動とを連動させることができる。
【００２４】
さらにこの実施例の衝撃雷管点火装置によれば、撃鉄附勢スプリング５と逆向きに段発力を生ずるように配置され、ハンドル２を完全に戻した状態で撃鉄３の先端部の撃針３ａを衝撃雷管Ｄから離間させておく暴発防止スプリング８を具えていることから、意図しないタイミングでの信号弾の暴発を防止できるので好ましい。
【００２５】
図３は、この発明の衝撃雷管点火装置の他の一実施例の構成を、ハンドルを押し戻した状態で示す断面図、図４は、上記実施例の衝撃雷管点火装置の構成を、ハンドルを引き上げた状態で示す断面図であり、図中、先の実施例と同様の部分はそれと同一の符号にて示す。すなわち、図中符号１は装置本体、２はハンドル、３は撃鉄、４はスライドブロック、５は撃鉄附勢スプリング、６はボールロック機構をそれぞれ示す。
【００２６】
この実施例の衝撃雷管点火装置では、装置本体１は、先端部（図では左端部）にハンドル支持ブロックを兼ねる信号弾ホルダー１ａを有するとともに後端部（図では右端側）にエンドブロック１ｆを有し、それらを厚板状のベース部材１ｃを介して一体的に結合して構成されており、ここにおける信号弾ホルダー１ａおよびエンドブロック１ｆにもそれぞれ貫通孔１ｇ，１ｈが形成されている。
【００２７】
信号弾ホルダー１ａは、ハンドル２の基端部（図では左端部）を、図では紙面と直交する方向へ延在する軸線周りに揺動自在に軸支しており、ハンドル２は、その先端部と基端部との間の中間部に装置本体１に向けて軸受け２ａを突設されている。
【００２８】
スライドブロック４は、後端部（図では右端部）に底部を持つ角筒状をなしていて、信号弾ホルダー１ａとエンドブロック１ｆとの間でベース部材１ｃ上に摺動自在に配置されるとともに、その後端側に、前端部から後端部まで貫通する貫通孔６ａを持つボールロック機構６を一体に設けられている。さらに、スライドブロック４の前方のベース部材１ｃ上には固定ブロック１０が設けられ、この固定ブロック１０にも貫通孔１０ａが形成されている。そして撃鉄３は、それら信号弾ホルダー１ａの貫通孔１ｇと、固定ブロック１０の貫通孔１０ａと、スライドブロック４の貫通孔６ａと、エンドブロック１ｆの貫通孔１ｈとに挿通されて装置本体１にその長手方向に進退移動自在に支持されており、この撃鉄３には、その先端部に撃針３ａが設けられるとともに固定ブロック１０の前方の中間部の１箇所にフランジ３ｂが設けられ、さらに固定ブロック１０の後方に周方向溝３ｅが設けられている。
【００２９】
スライドブロック４はまた、リンク部材７の一端部を揺動自在に軸支し、そのリンク部材７の他端部は、ハンドル２の軸受け２ａに揺動自在に軸支されており、これによりスライドブロック４は、ハンドル２の引き上げと連動して前進移動し、ハンドル２の押し戻しと連動して後退移動する。そして撃鉄附勢スプリング５は、その中心孔内に撃鉄３を挿通され、その前端部を撃鉄３のフランジ３ｂに掛合されるとともにその後端部を固定ブロック１０に掛合されている。
【００３０】
ボールロック機構６は、先の実施例におけると同様のもので、スライドブロック４の後端部に一体に設けられたボール支持筒６ｂと、そのボール支持筒６ｂに周方向に間隔を空けて複数明けられたボール収容孔内にボール支持筒６ｂの半径方向へ移動自在に収容されたボール６ｃと、ボール支持筒６ｂの周囲に進退移動可能に嵌挿されたボール拘束筒６ｄと、そのボール拘束筒６ｄを後退方向へ附勢するスプリング６ｅと、そのボール拘束筒６ｄの後退限位置を特定する図示しないストッパとを有しており、ボール拘束筒６ｄの内周面は、ボール拘束筒６ｄの前端部寄りに位置して小径の内径でボール６ｃと当接し、ボール６ｃを実質的にボール支持筒６ｂから半径方向内方に突出するロック位置に拘束するロック部と、そのロック部に裁頭円錐面で滑らかに繋がるとともにそのロック部よりも大径の内径でボール６ｃと当接し、ボール６ｃのボール支持筒６ｂから半径方向外方への逃げ出しを許容する解放部とを持ち、これによりボール拘束筒６ｄは、自由状態ではスプリング６ｅで後退附勢されて、そのロック部がボール６ｃと対向するロック位置に位置し、後述の如くエンドブロック１ｆで前進附勢されると、その解放部がボール６ｃと対向する解放位置に位置する。
【００３１】
さらにここでは、信号弾ホルダー１ａの後端部と撃鉄３のフランジ３ｃとの間に、撃鉄附勢スプリング５と逆向きに段発力を生ずるように配置され、ハンドル２を完全に戻した状態で撃鉄３の先端部の撃針３ａを衝撃雷管Ｄから離間させておく暴発防止スプリング８が設けられている。
【００３２】
かかる構成を具えるこの実施例の衝撃雷管点火装置にあっては、図４に示すように、信号弾のカートリッジＣの、衝撃雷管Ｄを設けられた尾部を装置本体１の先端部の信号弾ホルダー１ａのねじ孔１ｄにねじ込み装着し、ハンドル２を装置本体１に対し揺動させて引き上げると、そのハンドル２の引き上げに連動してスライドブロック４が前進移動し、これによりボールロック機構６のボール拘束筒６ｄがエンドブロック１ｆから離間してロック位置へ移動可能となり、スライドブロック４と一体のボールロック機構６が所定の前進限位置まで前進して撃鉄３の周方向溝３ｄにボール６ｃが対向すると、ボール拘束筒６ｄがスプリング６ｅで附勢されて裁頭円錐面でボール６ｃを半径方向内方へ押し込みながらロック位置へ後退移動して、ボール６ｃを撃鉄３の周方向溝３ｄ内に嵌合する位置に拘束し、撃鉄３がその後退限位置でスライドブロック４に対しロックされる。
【００３３】
次いでハンドル２を装置本体１に対し上記と逆向きに揺動させて押し戻すと、そのハンドル２の押し戻しに連動してスライドブロック４が撃鉄３と一緒に後退移動して固定ブロック１０と撃鉄３のフランジ３ｂとの間で撃鉄附勢スプリング５を圧縮し、このハンドル２の押し戻しの最終段階で、スライドブロック４がボールロック機構６のボール拘束筒６ｄをエンドブロック１ｆに当接させ、ボール拘束筒６ｄを解放位置へ前進移動させて撃鉄３のロックを解除させ、これにより撃鉄附勢スプリング５の段発力で撃鉄３が勢いよく前進移動し、その先端部の撃針３ａで衝撃雷管Ｄに打撃を加えて点火する。
【００３４】
従って、この実施例の衝撃雷管点火装置によっても、先の実施例と同様の作用効果を奏することができる。
【００３５】
以上、図示例に基づき説明したが、この発明は上述の例に限定されるものでなく、特許請求の範囲の記載範囲内で適宜変更し得るものであり、例えば、ハンドル２とスライドブロック４とは、リンク部材７に代えてラックピニオン機構等で連動させても良い。また、信号弾ホルダー１ａは、カートリッジＣの尾部を挟んだりあるいは掛け止めしたりして固定するものでも良い。
【００３６】
そして、上記実施例では装置本体１は全体的に角棒状をなすように構成されているが、丸棒状をなすように構成しても良い。
【産業上の利用可能性】
【００３７】
かくしてこの発明のこの発明の衝撃雷管点火装置によれば、装置本体に対してハンドルを引き上げた後に押し戻すだけで衝撃雷管に点火できるので、指の力が弱くても容易に操作することができる。
【符号の説明】
【００３８】
１  装置本体
１ａ  信号弾ホルダー
１ｂ  ハンドル支持ブロック
１ｃ  ベース部材
１ｄ  ねじ孔
１ｅ，１ｇ，１ｈ  貫通孔
１ｆ  エンドブロック
２  ハンドル
２ａ  軸受け
３  撃鉄
３ａ  撃針
３ｂ，３ｃ  フランジ
３ｄ  周方向溝
４  スライドブロック
４ａ  貫通孔
５  撃鉄附勢スプリング
６  ボールロック機構
６ａ  貫通孔
６ｂ  ボール支持筒
６ｃ  ボール
６ｄ  ボール拘束筒
６ｅ  スプリング
７  リンク部材
８  暴発防止スプリング
９  ハンドル開きスプリング
１０  固定ブロック
１０ａ  貫通孔
Ｃ  カートリッジ
Ｄ  衝撃雷管
【図１】
2014185804.tif 000003
【図２】
2014185804.tif 000004
【図３】
2014185804.tif 000005
【図４】
2014185804.tif 000006